(57)【要約】      （修正有） 【課題】散水量を無段で調節可能な散水部を備えたじょうろを提供する。【解決手段】周方向及び半径方向に間隔をおいて多数の散水用横広穴２ｄを設けた前面板２に対して接する散水調節板３を前面板２の中空円筒形部２ｇに回転自在に嵌合している。リューズ取手を回転すると小歯車５ａが回転し冠歯３ｃが回転すると、冠歯３ｃを設けた散水調節板３が回転し、散水調節板３の弁口３ａと散水用横広穴３ｄはずれて部分開口となる。散水調節板３の弁部３ｂが散水用横広穴２ｄをふさぐと散水されない。【選択図】図９
0003153184.tif 000002
【実用新案登録請求の範囲】
【請求項１】
散水部が、正面より見て周方向に間隔を置いて複数の周方向に長い散水用横広穴を有する円形の前面板と、
前面板の内側に前面板に接して前面板に対して回転可能に設けられた円板形であって円の中心を中心として放射方向の縁を有して開口して設けられた弁口と、この弁口の周方向に隣接した弁部であって、前面板の散水用横広穴を部分的又は全面的に開閉可能な弁部と、を有する水量調節板と、
水量調節板の回動手段と、
を有することを特徴とするじょうろ。
【請求項２】
周方向に長い散水用横広穴は異なる半径方向の位置において夫々複数対有することを特徴とする請求項１に記載のじょうろ。
【請求項３】
水量調節板の弁口及び弁部は水量調節板の中心を要とする扇形であることを特徴とする請求項１又は２に記載のじょうろ。
【請求項４】
前面板の周縁に取外し可能に結合され前面板から遠ざかる方向に延在し、後端に可撓性部材よりなる配管連結部を有し配管連結部と水量調節板間を通水路とした胴部
を有することを特徴とする請求項１又は２もしくは３に記載のじょうろ。
【請求項５】
水量調節板の周面に設けた冠歯と冠歯に噛み合う小歯車と小歯車と同軸のジャーナル部であって前面板の周面に設けた半径方向の軸受に支持されるジャーナル部と、前面板の外周の外側においてジャーナル部の端にリュウズ取手とを備えた駆動部材を有する水量調節板の回動手段を有することを特徴とする請求項１から４の何れか１つに記載のじょうろ。
【請求項６】
前面板の中心に常開の散水穴を有することを特徴とする請求項１から５の何れか１つに記載のじょうろ。
【考案の詳細な説明】
【技術分野】
【０００１】
この考案は散水部の構造に特徴を有するじょうろに関する。
【背景技術】
【０００２】
散水用のじょうろは散水部に多数の細孔を設けて植木等の潅水を行うために用いる。散水部への水の供給は配管連結部に連結した水源から行う。水源として商用水道から配管連結部にホースを介し行う水道連結形のじょうろが知られている。また、じょうろには水を収容する容器の出口に連結した水源一体形のものがある。広く用いられているじょうろは多数の細孔を設けているのが通常であるが、水道の水圧を用いて散水と、霧化と、ジェット流とを切換え可能なじょうろが市販されている。
【先行技術文献】
【特許文献】
【０００３】
特許文献１    実開平７−１７４８号公報
【非特許文献】
【０００４】
なし
【考案の概要】
【考案が解決しようとする課題】
【０００５】
特許文献１に記載のものは水源一体型であってひしゃく容器の底面に多数の散水用細孔を設け、底面上に移動可能な合せ板を有する。合せ板は孔が設けてあり、この孔が細孔と一致する位置と細孔から外れて細孔がふさがれひしゃく容器から水が出なくなるひしゃくである。
【０００６】
特許文献１及び市販のじょうろの一部に細孔の開閉が行われるものがある。
【０００７】
しかし、細孔の寸法が決っていて多くの水を植物その他の物に与えるのに、時間が掛かり不便な時がある。
【０００８】
また、細孔はつまり易いということがある。細孔のつまる態様としては単に細孔に異物がはまり込む。細孔を構成する板の細孔回りが腐食して細孔を小さくしたり閉塞する。この両者即ち、腐食して小さくなった細孔に異物がはまり込む等がある。細孔がつまるとじょうろを分解して掃除をするのが通常である。
【０００９】
この考案は散水量を調節可能なじょうろを提供することを目的とする。
【００１０】
この考案は上記目的と併せて散水穴が目づまりしても、分解することなく目づまりを解消可能なじょうろを提供することを目的とする。
【課題を解決するための手段】
【００１１】
本出願に係る第1の考案は散水部が、正面より見て周方向に間隔を置いて複数の周方向に長い散水用横広穴を有する円形の前面板と、
前面板の内側に前面板に接して前面板に対して回転可能に設けられた円板形であって円の中心を中心として放射方向の縁を有して開口して設けられた弁口と、この弁口の周方向に隣接した弁部であって、前面板の散水用横広穴を部分的又は全面的に開閉可能な弁部と、を有する水量調節板と、
水量調節板の回動手段と、
を有することを特徴とするじょうろである。
【００１２】
本出願に係る第２の考案は周方向に長い散水用横広穴は異なる半径方向の位置において夫々複数対有することを特徴とする第１の考案に記載のじょうろである。
【００１３】
本出願に係る第３の考案は水量調節板の弁口及び弁部は水量調節板の中心を要とする扇形であることを特徴とする第１又は第２の考案に記載のじょうろである。
【００１４】
本出願に係る第４の考案は前面板の周縁に取外し可能に結合され前面板から遠ざかる方向に延在し、後端に可撓性部材よりなる配管連結部を有し配管連結部と水量調節板間を通水路とした胴部
を有することを特徴とする第１又は第２もしくは第３の考案に記載のじょうろである。
【００１５】
本出願に係る第５の考案は水量調節板の周面に設けた冠歯と冠歯に噛み合う小歯車と小歯車と同軸のジャーナル部であって前面板の周面に設けた半径方向の軸受に支持されるジャーナル部と、前面板の外周の外側においてジャーナル部の端にリュウズ取手とを備えた駆動部材を有する水量調節板の回動手段を有することを特徴とする第１から第４の考案の何れか１つに記載のじょうろである。
【００１６】
本出願に係る第６の考案は前面板の中心に常開の散水穴を有することを特徴とする第１から第５の何れか１つの考案に記載のじょうろである。
【考案の効果】
【００１７】
請求項１に係る考案によれば水量調節板の回動手段を操作するだけで散水量を調節できる。散水量の調節は散水しながらでも、散水を休止した状態でも行うことができる。散水穴が目づまりしたしたときは散水穴の開度を大きくしてそのまま通水するだけでごみを除去可能である。また、散水穴の開度を大きくした状態で前面板の外面に刷子を掛けるようにしても散水穴のごみを取り除くことができる。
【００１８】
請求項２に係る考案によれば上記考案において前面板面からほぼ一様に散水できる。
【００１９】
請求項３に係る考案によれば上記各考案の何れかにおいて散水の分布態様に変化を与え得る。また、前面板の止水ができる。
【００２０】
請求項４に係る考案によれば水源の種類に関せず使用可能である。
【００２１】
請求項５に係る考案によれば冠歯車と小歯車の減速比が大きい水量調節板を微小角度連続して正確に移動できる。そして、リュウズ取手は散水中も操作できるから、散水状態を目視し乍散水量を調節できる。
【００２２】
請求項６に係る考案によれば前面板に散水しない領域をなくし、小さな拡がりで小量の散水を行うことができる。
【図面の簡単な説明】
【００２３】
【図１】実施例の正面図である。
【図２】図１の側面図である。
【図３】図２の縦断面図である。
【図４】水量調節板の背面図である。
【図５】水量調節板の回動手段の正面図である。
【図６】図５のＡ−Ａ側断面図である。
【図７】とめ金具の側面図である。
【図８】作用を示す背面図である。
【図９】作用を示す背面図である。
【図１０】作用を示す背面図である。
【実施例】
【００２４】
以下、この考案の実施例について図面を用いて説明する。
【００２５】
図１はじょうろの正面より見る正面図、即ち、前面板と水量調節板とからなる散水板の正面図であって、前面板の表面が見えている。図２は図１の側面図、図３は図２の縦断面図である。
【００２６】
前面板２は球の一部をなす等厚の円板形の有孔板部２ａの周縁に取付部として円筒形のつば２ｂを有する。つば２ｂの内周にはめねじ２ｃが設けてある。
【００２７】
有孔板部２ａには正面より見て周方向に長い散水用横広穴２ｄを有孔板部２ａの板材を貫通開口して有する。散水用横広穴２ｄは有孔板部２ａに周方向に間隔を置いて複数設けてある。また、有孔板部２ａの半径方向においても、複数の散水用横広穴２ｄを有する。有孔板部２ａの半径方向に配される散水用横広穴２ｄは前面板２の中心Ｃを要とする扇形の両側の半径方向の線ｒ１，ｒ２に該穴２ｄの両端２ｄ１，２ｄ２がくるように配設されている。なお、散水用横広穴２ｄは有孔板部２ａの全周にわたって配設されているが図面は周方向の隣接する二箇所のみ示し、他は図略してある。そして、細線で半径方向の線ｒ１，ｒ２及び散水用横広穴２ｄの外側周縁をとおる円を示してある。
【００２８】
従って、散水用横広穴２ｄの周方向長さは有孔板部２ａの中心Ｃからの半径方向の位置によって変化し、中心Ｃからの半径に比例して散水用横広穴２ｄの長さが変化する。散水用横広穴２ｄは有孔板部２ａの周方向に等間隔をおいて設けられている。有孔板部２ａの中心Ｃから同一半径の位置にある散水用横広穴２ｄの長さは夫々等しくなっている。周方向に隣接する散水用横広穴２ｄ間は無孔部２ｅである。無孔部２ｅは有孔板部２ａの中心Ｃを要とする扇形である。散水用横広穴２ｄは有孔板部２ａの周方向を等配して配設されている。本例では散水用横広穴２ｄは有孔板部２ａの周方向を１６等配して配設されている。散水用横広穴２ｄの半径方向の間隔は本例では等間隔である。本例では周方向の一か所における散水用横広穴２ｄの半径方向の数は６である。散水用横広穴２ｄの両端２ｄ１，２ｄ２が有孔板部２ａの中心Ｃに張る角をθ、無孔部２ｅの有孔板部２ａの中心Ｃに張る角をαとすると、
θ≦α
となっている。
【００２９】
有孔板部２ａの中心部には多数の細孔２ｆが設けられている。
【００３０】
図３に示すように、有孔板部２ａは背面に中心Ｃを中心とする中空円筒形部２ｇを一体に設けてある。細孔２ｆは中空円筒形板部２ｇに囲まれた有孔板部２ａに設けてある。中空円筒形部２ｇの外周には散水調節板３の中心穴３ｅが回転可能に嵌合している。散水調節板３の外径は前面板２のつば２ｂの内周に丁度入り得る円板状である。散水調節板３の前面は中心部を除き前面板２の有孔板部２ａの内面に全面的に接する球面である。
【００３１】
図４に示すように、散水調節板３には中心Ｃを要とする扇形で開口している弁口３ａ及び弁部３ｂが設けてある。弁口３ａは中心Ｃを中心とする放射方向の線を周方向の両端としている。本例では放射方向の線は半径方向である。弁口３ａは周方向を１６等配して設けてある。弁口３ａの中心Ｃを中心とする中心角βは散水用横広穴２ｄの両端２ｄ１，２ｄ２が中心Ｃを中心として張る角θと等しい。そこで、前面板２の散水用横広穴２ｄと散水調節板３の弁口３ａが一致すると、散水用横広穴２ｄは全開となる。そして、散水用横広穴２ｄと弁口３ａがくい違うと、散水用横広穴２ｄは開口面積が全開より小さくなり、完全にくい違うと弁部３ｂで閉塞される。なお、弁口３ａは散水調節板３の全周にわたって配設されているが図面は周方向の隣接する二箇所のみ示してある。
【００３２】
散水調節板３の背面の外周近くには中心Ｃを中心とする冠歯３ｃが設けてある。冠歯３ｃの周方向の両端には夫々ストッパ３ｄが設けてある。ストッパ３ｄは後述の冠歯３ｃと噛み合う小歯車５ａと干渉して冠歯３ｃの移動を阻止するものである。本例では、冠歯３ｃの歯の高さよりもストッパ３ｄの高さを高く歯頂よりも突出させている。
【００３３】
図６に示すように、前面板２の外周部の放射方向に配設される軸受６は前面板２のつば２ｂのほぼ半径方向に設けためねじ２ｈにねじ込まれるおねじ６ａと、めねじ２ｈの中心線の延長上を中心線とする穴４ａに嵌合する円筒部６ｂ及びつば６ｃを有する。穴４ａは胴部４の大円筒部４ｂのほぼ半径方向に設けてある。
【００３４】
胴部４の大円筒部４ｂは胴部４の大端に設けられていて外周に前面板２のつば２ｂの内周に設けためねじ２ｃにねじ込まれるおねじ４ｄを有する。
【００３５】
前面板２のめねじ２ｃに胴部４のおねじ４ｄがねじ込まれると、胴部端面４ｈは有孔板部２ａの背面に接し、水量調節板３の外周近くの端面に胴部４の大円筒部４ｂの段部４ｅが接近し、水量調節板３は軸方向の移動を拘束される。
【００３６】
軸受６の端部に設けたつば６ｃはおねじ６ａより大径である。散水調節板３の回動手段の駆動部材５の小歯車５ａの外径は円筒部６ｂよりも小である。ジャーナル部５ｂの一方端には小歯車５ａが設けられ、他方端には小径軸部５ｃが設けられている。小径軸部５ｃにリューズ取手１１が圧入されている。
【００３７】
ジャーナル部５ｂは軸受６の中心穴に回転自在に嵌合する。ジャーナル部５ｂは軸受６の長さに等しい。小歯車５ａ、リューズ取手１１はジャーナル部５ｂよりも直径が大きく、駆動部材５は軸方向に移動しない。
【００３８】
胴部４は前面板２から遠ざかる方向に延在し、後端に配管連結部４ｆを有する。胴部４はラッパ状の前部４ｇの後端に縮径した円筒形の配管連結部４ｆに連続している。胴部４は配管連結部４ｆ及び前部４ｇを通じて中空であり、胴部４は前後両端は開口している。胴部の前部４ｇの周面は中間が偏円錐形よりも外方へ膨出した中ふくらみ形状である。図２に示すように胴部の前部４ｇの中心線ＣＬ１は前面板２の中心線ＣＬに対して傾斜しており、配管連結部４ｆの中心線ＣＬ２は中心線ＣＬに対してオフセットし、中心線ＣＬとＣＬ２は平行である。
【００３９】
前部４ｇの中心線ＣＬとＣＬ２に対して直角な平面で切る前部４ｇの断面は、この平面が中心線ＣＬ１を切る点を中心とする円形である。
【００４０】
配管連結部４ｆは軟質ゴムで伸縮自在である。胴部の前部４ｇは硬質部材、例えば金属又は合成樹脂である。
【００４１】
配管連結部４ｆは水源が水道水であって一端が水栓に連結されたホースの他端に連結できる水道連結形のじょうろに適合できる。また、水を収容する容器の出口に連結した水源一体形のものにも適合する。配管連結部４ｆと前部４ｇの連結は例えば、前部４ｇの後端に中空円筒部を設け、この中空円筒部の外周に配管連結部４ｆ前部を拡径して嵌入する。
【００４２】
図２に示すように配管連結部４ｆの中心穴に差し込まれた図示されないホース継手又は管端とじょうろ１の連結を確保するために、配管連結部４ｆの外周には止め金具７が嵌めてある。図７に示すように、止め金具端部に設けたつば７ａ，７ｂを貫通している穴を挿通する小ねじ８にねじ込まれたナット９により止め金具７を縮径して配管連結部４ｆと図示されないホース継手又は管端が固定される。
【００４３】
この実施例の作用を説明する。リューズ取手５ｃを指でもって回動すると駆動部材５は回転し、小歯車５ａは回転する。小歯車５ａと噛み合っている冠歯３ｃは駆動され散水調整板３は中空円筒形部２ｇを中心に回動する。
【００４４】
図８に示すように散水用横広穴２ｄを弁口３ａが囲んだ状態では、散水用横広穴２ｄの全面積を通じて散水量は最大となる。このとき、小歯車５ａに冠歯３ｃの周方向の一方端に設けたストッパ３ｄが当っている。
【００４５】
図８の状態からリューズ取手５ｃを回動すると冠歯３ｃは移動し、ストッパ３ｄは小歯車５ａから離れる。散水調整板３は中空円筒形部２ｇを中心にして回動される。
【００４６】
図９は図８の状態からリューズ取手５ｃを回動して散水調整板３を回動した状態を示している。この状態では散水用横広穴２ｄは一部が散水調整板３の弁部３ｂで閉塞されている。これにより、図８に示す最大散水量の状態よりも小量の散水量となる。リューズ取手５ｃによる冠歯３ｃの移動即ち、散水調整板３の回転は連続したものであるから、弁部３ｂが散水用横広穴２ｄの開口面積を制限する作用は連続しており、散水量は無段で変化する。
【００４７】
図９からリューズ取手１１を回動して散水用横広穴２ｄの開度を小さくして行くと図１０のように弁部３ｂは散水用横広穴２ｄを閉塞し散水用横広穴２ｄからの散水は行われない。この状態では他方端のストッパ３ｄが小歯車５ａに当っている。
【００４８】
かかる散水用横広穴２ｄからの散水の消長にかかわらず細孔２ｆからは散水される。
【００４９】
上記構成、作用により、前面板の散水用横広穴を散水用調節板の弁部で開度を調節して散水量を連続して調節できるので、例えば植木に潅水する場合、植木の大きさ、種類等に応じて水の掛け方、流量を調節できる。流量の調節は散水状態を見乍リューズ取手を回すだけであり簡単で作業性が良い。
【００５０】
散水用横広穴を絞って散水量を小さくした際に、目づまりしたとすれば、リューズ取手を回し散水用横広穴をふさいでいる弁部を移動して散水量を増せばごみ等による目づまりは、ごみ等が流出することにより解消する。また、散水用横広穴を全開した状態にして刷子等で清掃してもよい。
【００５１】
散水用横広穴２ｄの半径方向の分布は本例では６つの異なる半径方向に夫々配設したが、１以上あればよい。
【００５２】
実施例は散水用横広穴は有孔板部の中心から半径方向の二直線で囲ませた範囲で該二直線に接する両端を有する穴としたが有孔板部の中心から渦巻状に放射方向に向う二曲線で囲まれた該二曲線に接する両端を有する穴としてもよい。そして散水調節板の弁口、弁部も散水調節板の分布に合せる。
【符号の説明】
【００５３】
１…じょうろ
２…前面板  ２ａ…有孔板部  ２ｂ…つば  ２ｃ…めねじ  ２ｄ…散水用横広穴  ２ｄ１，２ｄ２…端  ２ｅ…無孔部  ２ｆ…細孔  ２ｇ…中空円筒形部  ２ｈ…めねじ  
３…散水調節板  ３ａ…弁口  ３ｂ…弁部  ３ｃ…冠歯  ３ｄ…ストッパ  ３ｅ…中心穴
４…胴部  ４ａ…穴  ４ｂ…大円筒部  ４ｃ…大端  ４ｄ…おねじ  ４ｅ…段部  ４ｆ…配管連結部  ４ｇ…前部  ４ｈ…胴部端面  
５…駆動部材  ５ａ…小歯車  ５ｂ…ジャーナル部  ５ｃ…小径軸部
６…軸受  ６ａ…おねじ  ６ｂ…円筒部  ６ｃ…つば
７…止め金具  ７ａ，７ｂ…つば
８…小ねじ  
９…ナット
１１…リューズ取手
Ｃ…中心  ＣＬ，ＣＬ１，ＣＬ２…中心線
ｒ１，ｒ２…線
β…中心角
θ…角
α…角
【図１】
0003153184.tif 000003
【図２】
0003153184.tif 000004
【図３】
0003153184.tif 000005
【図４】
0003153184.tif 000006
【図５】
0003153184.tif 000007
【図６】
0003153184.tif 000008
【図７】
0003153184.tif 000009
【図８】
0003153184.tif 000010
【図９】
0003153184.tif 000011
【図１０】
0003153184.tif 000012